(57)【要約】【課題】平坦な状態から箱型の状態に変形させることができる包装容器に内容物を収納密封した包装体であって、その保存効率や輸送効率に優れた包装体を提供すること。【解決手段】平坦な包装容器に内容物を収納密封して構成された包装体であって、この包装容器１が天部側シート１Ａと底部側シート１Ｂとを重ね、その周縁で全周に渡って互いに固定して構成されたもので、かつ、箱型の状態に変形することができるもので構成する。平坦な包装容器に内容物を収納密封しているので、その内容物が少量であっても、包装体の大きさが過大とならず、このため、保存効率や輸送効率を向上させることができる。また、内容物を消費する際には、まず、包装容器を箱型の状態に変形し、その内部に湯等を注いで溶解すればよい。【選択図】図５
2020172302.tif 000002
【特許請求の範囲】
【請求項１】
平坦な包装容器に内容物を収納密封して構成された包装体であって、
この包装容器が天部側シートと底部側シートとを重ね、その周縁で全周に渡って互いに固定して構成されており、かつ、箱型の状態に変形することができるものであることを特徴とする包装体。
【請求項２】
前記内容物が、熱湯、温水又は冷水と混合して使用するものであることを特徴とする請求項１に記載の包装体。
【請求項３】
前記天部側シートと底部側シートとが、それぞれ、次の構造を有することを特徴とする請求項１又は２に記載の包装容器。
天部側シートの構造：
中央に多角形状の天面を有し、
この多角形状天面の各辺を一辺とする四角形状の天部側側面を、前記多角形状天面の辺の数と同じ数だけ有しており、
互いに隣接する各天部側側面の間に、この天部側側面同士を繋いでしかも閉塞する天部側つなぎ片を有しており、
これら天部側側面及び天部側つなぎ片の外側に、底部側シートと固定する天部側固定部を有しており、
隣接する前記四角形状の天部側側面を構成する辺同士が一致するように前記天部側つなぎ片を二つ折りできる天部側二つ折り用罫線が設けられている
構造。
底部側シートの構造：
中央に多角形状の底面を有し、
この多角形状底面の各辺を一辺とする四角形状の底部側側面を、前記多角形状底面の辺の数と同じ数だけ有しており、
互いに隣接する各底部側側面の間に、この底部側側面同士を繋いでしかも閉塞する底部側つなぎ片を有しており、
これら底部側側面及び底部側つなぎ片の外側に、天部側シートと固定する底部側固定部を有しており、
隣接する前記四角形状の底部側側面を構成する辺同士が一致するように前記底部側つなぎ片を二つ折りできる底部側二つ折り用罫線が設けられている
構造。
【請求項４】
前記天部側シートに口栓が装着されていることを特徴とする請求項１〜３のいずれかに記載の包装体。
【請求項５】
前記口栓にキャップが装着されていることを特徴とする請求項４に記載の包装体。
【発明の詳細な説明】
【技術分野】
【０００１】
本発明は、平坦な状態から箱型の状態に変形させることができる包装容器に内容物を収納密封した包装体に関するものである。
【背景技術】
【０００２】
シート材を箱型に折り曲げ、端部を重ね合わせてシールすることにより形成される包装容器が知られている。
【０００３】
例えば、特許文献１には、紙を基材とするシート材を用いた容器本体のサイドシールに剥離可能なプルタブを設けて、プルタブが、易剥離性のテープ状フィルムによる剥離層を介して剥離可能に設けられている包装容器（液体包装用紙容器）が開示されている。この包装容器は、プルタブを引っ張ることによってサイドシール部を剥離して、あるいは側面板に設けたプルタブを引っ張ることによって側面板を切り破って、それをきっかけとして解体することができる。
【０００４】
特許文献１の包装容器は廃棄に際して解体が容易であるため、ゴミの減容化に有用であるが、一度解体した包装容器を再度組立てて使用することはできなかった。
【先行技術文献】
【特許文献】
【０００５】
【特許文献１】特開平９−２９０８２２号公報
【発明の概要】
【発明が解決しようとする課題】
【０００６】
このような問題に対処するため、本出願人は、特願２０１７−１４３７０６号を特許出願した。この包装容器は箱型の状態と平坦な状態との間で可逆的に変形をさせることができ、平坦な状態から箱型の状態に変形したり、逆に箱型の状態から平坦な状態に変形したりすることができる。
【０００７】
この包装容器は、一般に、次のように使用される。すなわち、内容物を充填しない状態では平坦な状態として保存・輸送する。そして、内容物を充填する際には箱型の状態に変形し、こうして箱型の状態となった包装容器に内容物を充填収容して包装体とし、この包装体を保存・輸送する。なお、この包装容器には、固形内容物のほか、液体内容物も収容することができる。
【０００８】
しかしながら、内容物によっては、箱型の状態の包装容器の内容積の一部を占めるに過ぎないことがある。例えば、粉末コーヒー等の粉末飲料である。このような粉末飲料を内容物とする場合には、箱型の状態の包装容器に少量の粉末飲料を収容して保存・輸送することになる。そして、これを消費する際にはこの包装容器内部に湯を注いで粉末飲料を溶かして飲料とするのである。
【０００９】
しかしながら、この場合には、箱型の状態の包装容器に少量の粉末飲料を収容して保存あるいは輸送することになるため、その内容物（粉末飲料）の大きさに比較して包装体の大きさが過大となり、その保存効率や輸送効率が低下する結果となった。
【００１０】
そこで、本発明は、平坦な状態から箱型の状態に変形させることができる包装容器に内容物を収納密封した包装体であって、その保存効率や輸送効率に優れた包装体を提供する
ことを目的とする。
【課題を解決するための手段】
【００１１】
すなわち、請求項１に記載の発明は、平坦な包装容器に内容物を収納密封して構成された包装体であって、
この包装容器が天部側シートと底部側シートとを重ね、その周縁で全周に渡って互いに固定して構成されており、かつ、箱型の状態に変形することができるものであることを特徴とする包装体である。
【００１２】
次に、請求項２に記載の発明は、前記内容物が、熱湯、温水又は冷水と混合して使用するものであることを特徴とする請求項１に記載の包装体である。
【００１３】
次に、請求項３に記載の発明は、前記天部側シートと底部側シートとが、それぞれ、次の構造を有することを特徴とする請求項１又は２に記載の包装容器である。
天部側シートの構造：
中央に多角形状の天面を有し、
この多角形状天面の各辺を一辺とする四角形状の天部側側面を、前記多角形状天面の辺の数と同じ数だけ有しており、
互いに隣接する各天部側側面の間に、この天部側側面同士を繋いでしかも閉塞する天部側つなぎ片を有しており、
これら天部側側面及び天部側つなぎ片の外側に、底部側シートと固定する天部側固定部を有しており、
隣接する前記四角形状の天部側側面を構成する辺同士が一致するように前記天部側つなぎ片を二つ折りできる天部側二つ折り用罫線が設けられている
構造。
底部側シートの構造：
中央に多角形状の底面を有し、
この多角形状底面の各辺を一辺とする四角形状の底部側側面を、前記多角形状底面の辺の数と同じ数だけ有しており、
互いに隣接する各底部側側面の間に、この底部側側面同士を繋いでしかも閉塞する底部側つなぎ片を有しており、
これら底部側側面及び底部側つなぎ片の外側に、天部側シートと固定する底部側固定部を有しており、
隣接する前記四角形状の底部側側面を構成する辺同士が一致するように前記底部側つなぎ片を二つ折りできる底部側二つ折り用罫線が設けられている
構造。
【００１４】
次に、請求項４に記載の発明は、前記天部側シートに口栓が装着されていることを特徴とする請求項１〜３のいずれかに記載の包装体である。
【００１５】
次に、請求項５に記載の発明は、前記口栓にキャップが装着されていることを特徴とする請求項４に記載の包装体である。
【発明の効果】
【００１６】
本発明においては、平坦な包装容器に内容物を収納密封しているので、その内容物が少量であっても、包装体の大きさが過大とならず、このため、保存効率や輸送効率を向上させることができる。
【００１７】
なお、この内容物を消費する際には、まず、包装容器を箱型の状態に変形し、その内部に湯等を注いで溶解すればよい。箱型の状態に変形することによって包装体の内容積が増
大するから、十分な量の湯等を注いでしかも収容することが可能である。
【図面の簡単な説明】
【００１８】
【図１】図１は本発明の包装体の第１の具体例に係り、天部側シートの平面図である。
【図２】図２は本発明の包装体の第１の具体例に係り、底部側シートの平面図である。
【図３】図３は本発明の包装体の第１の具体例に係り、その製造工程を示す説明用分解斜視図である。
【図４】図４は本発明の包装体の第１の具体例に係り、その製造中の断面説明図である。
【図５】図５は本発明の包装体の第１の具体例の断面説明図である。
【図６】図６は本発明の包装体の第１の具体例に係り、図６（ａ）は使用時の斜視図であり、図６（ｂ）はその断面説明図である。
【図７】図７は本発明の包装容器の第１の具体例の変形例に係り、１枚のシートで天部側シートと底部側シートの双方を構成した場合の平面図である。
【図８】図８は本発明の包装体の第２の具体例に係り、天部側シートの平面図である。
【図９】図９は本発明の包装体の第２の具体例に係り、底部側シートの平面図である。
【図１０】図１０は本発明の包装体の第２の具体例の使用時の斜視図である。
【図１１】図１１は本発明の包装体の第３の具体例に係り、天部側シートの平面図である。
【図１２】図１２は本発明の包装体の第３の具体例に係り、底部側シートの平面図である。
【図１３】図１３は本発明の包装体の第３の具体例の使用時の斜視図である。
【発明を実施するための形態】
【００１９】
以下、図面を参照して本発明の具体例を説明する。
【００２０】
（第１の具体例）
図１〜６は本発明の包装体の第１の具体例に係り、図１及び図２は、それぞれ、その包装容器の天部側シート１Ａ及び底部側シート１Ｂを示している。
【００２１】
まず、天部側シート１Ａは、その中央に多角形状の天面１Ａ１０を有している。この例では、長方形状である。そして、この天面１Ａ１０には開口部が設けられており、この開口部に口栓１Ｄが装着されている。
【００２２】
次に、天部側シート１Ａは、多角形状の天面１Ａ１０の各辺を折り曲げ用罫線として、この天面１Ａ１０の各辺を一辺とする四角形状の天部側側面１Ａ２１〜１Ａ２４を有している。天部側側面１Ａ２１〜１Ａ２４の数は、多角形状天面１Ａ１０の辺の数と同じである。この例では天面１Ａ１０は四角形状であるから、この四角形状天面１Ａ１０の辺の数は４であり、天部側側面１Ａ２１〜１Ａ２４の数も４である。
【００２３】
また、天部側シート１Ａは、互いに隣接する各天部側側面の間に、この天部側側面１Ａ２１〜１Ａ２４同士を繋ぐ天部側つなぎ片１Ａ３１〜１Ａ３４を有している。すなわち、天部側側面１Ａ２１と天部側側面１Ａ２２との間は天部側つなぎ片１Ａ３１で繋がれている。また、天部側側面１Ａ２２と天部側側面１Ａ２３との間は天部側つなぎ片１Ａ３２で繋がれている。その他の天部側側面についても同様である。なお、各天部側側面１Ａ２１〜１Ａ２４と天部側つなぎ片１Ａ３１〜１Ａ３４との間には折り曲げ用罫線が設けられている。
【００２４】
そして、この天部側つなぎ片１Ａ３１〜１Ａ３４によって、天部側側面１Ａ２１〜１Ａ２４の間は閉塞されている。図示のように、この例では、天部側側面１Ａ２１〜１Ａ２４
と天部側つなぎ片１Ａ３１〜１Ａ３４とを併せた部分の外形は長方形を構成しており、各天部側つなぎ片１Ａ３１〜１Ａ３４はその角部に位置して、天部側側面１Ａ２１〜１Ａ２４の間を閉塞している。例えば、天部側側面１Ａ２１と天部側側面１Ａ２２との間は天部側つなぎ片１Ａ３１で閉塞している。
【００２５】
この天部側つなぎ片１Ａ３１〜１Ａ３４は、天面１Ａ１０の各頂点から、天部側つなぎ片１Ａ３１〜１Ａ３４を二等分する天部側二つ折り用罫線を有している。すなわち、図１に拡大して示すように、例えば、天部側側面１Ａ２３と天部側側面１Ａ２４とは、天面１Ａ１０の頂点１Ａ１０ｂを共有している。天部側側面１Ａ２３を構成する辺のうち、天面１Ａ１０の頂点１Ａ１０ｂを共有している辺には、符号１Ａ２３ｂを付して示している。また、天部側側面１Ａ２４を構成する辺のうち、天面１Ａ１０の頂点１Ａ１０ｂを共有している辺には、符号１Ａ２４ｂを付して示している。そして、この辺１Ａ２３ｂと辺１Ａ２４ｂとがなす角を二等分する天部側二つ折り用罫線１Ａ３３ｃが設けられている。すなわち、図において、辺１Ａ２３ｂと二つ折り用罫線１Ａ３３ｃとがなす角α１と、辺１Ａ２４ｂと天部側二つ折り用罫線１Ａ３３ｃとがなす角α２とは等しい。以上天部側つなぎ片１Ａ３３を例として天部側二つ折り用罫線１Ａ３３ｃについて説明したが、その他の天部側つなぎ片１Ａ３１〜１Ａ３２，１Ａ３４にも同様に天部側二つ折り用罫線１Ａ３１ｃ〜１Ａ３２ｃ，１Ａ３４ｃが設けられている。
【００２６】
次に、天部側シート１Ａは、これら天部側側面１Ａ２１〜１Ａ２４と天部側つなぎ片１Ａ３１〜１Ａ３４とを併せた長方形の部分の外側に、底部側シート１Ｂと固定する天部側固定部１Ａ４０を有している。この例では、天部側固定部１Ａ４０は、全周にわたってヒートシール領域で構成しているが、後述する変形例のように、天部側シート１Ａと底部側シート１Ｂの両者を１枚のシートで構成する場合には、天部側固定部１Ａ４０の一部を天部側シート１Ａと底部側シート１Ｂとを区画する折り曲げ用罫線１ＡＢで構成することも可能である。
【００２７】
なお、図１においては、天部側固定部１Ａ４０にハッチングを施して示し、この天部側固定部１Ａ４０と天部側側面１Ａ２１〜１Ａ２４との境界、及び天部側固定部１Ａ４０と天部側つなぎ片１Ａ３１〜１Ａ３４との境界を破線１Ａｘによって示しているが、これらは説明の便宜のために施したものである。後述する底部側シート１Ｂの底部側固定部１Ｂ４０と底部側側面１Ｂ２１〜１Ｂ２４との境界１Ｂｘと異なり、天部側固定部１Ａ４０と天部側側面１Ａ２１〜１Ａ２４との境界には折り曲げ用罫線は存在しない。天部側固定部１Ａ４０と天部側つなぎ片１Ａ３１〜１Ａ３４との境界にも折り曲げ用罫線は存在しない。
【００２８】
次に、底部用シート１Ｂは、後述する３つの点を除き、天部側シート１Ａと同様の構造を有している。すなわち、まず、底部用シート１Ｂは中央に多角形状の底面１Ｂ１０を有している。この多角形状底面１Ｂ１０は天面１Ａ１０と同形同大である。底部用シート１Ｂが天部側シート１Ａと異なる第１の点は、天部側シート１Ａの天面１Ａ１０には、開口部が設けられているのに対し、底部用シート１Ｂの底面１Ｂ１０には開口部が設けられていないことである。
【００２９】
また、底部用シート１Ｂは、多角形状の底面１Ｂ１０の各辺を折り曲げ用罫線として、この各辺を一辺とする四角形状の底部側側面１Ｂ２１〜１Ｂ２４を、前記多角形状底面１Ｂ１０の辺の数と同じ数だけ有している。これら底部側側面１Ｂ２１〜１Ｂ２４も、それぞれ、天部側側面１Ａ２１〜１Ａ２４と同形同大である。
【００３０】
また、底部用シート１Ｂは、互いに隣接する各底部側側面１Ｂ２１〜１Ｂ２４の間に、この底部側側面１Ｂ２１〜１Ｂ２４同士を繋いでしかも閉塞する底部側つなぎ片１Ｂ３１
〜１Ｂ３４を有している。これら底部側つなぎ片１Ｂ３１〜１Ｂ３４は天部側つなぎ片１Ａ３１〜１Ａ３４と同形同大である。
【００３１】
また、各底部側側面１Ｂ２１〜１Ｂ２４と底部側つなぎ片１Ｂ３１〜１Ｂ３４との間には折り曲げ用罫線が設けられている。また、各底部側つなぎ片１Ｂ３１〜１Ｂ３４には、底面１Ｂ１０の各頂点から、底部側つなぎ片１Ｂ３１〜１Ｂ３４を二等分する底部側二つ折り用罫線１Ｂ３１ｃ〜１Ｂ３４ｃが設けられている。
【００３２】
次に、底部側シート１Ｂは、これら底部側側面１Ｂ２１〜１Ｂ２４と底部側つなぎ片１Ｂ３１〜１Ｂ３４とを併せた長方形の部分の外側に、天部側シート１Ａと固定する底部側固定部１Ｂ４０を有している。この例では、底部側固定部１Ｂ４０は、全周にわたってヒートシール領域である。
【００３３】
なお、底部側シート１Ｂの底部側固定部１Ｂ４０と底部側側面１Ｂ２１〜１Ｂ２４との境界、及び底部側固定部１Ｂ４０と底部側つなぎ片１Ｂ３１〜１Ｂ３４との境界には折り曲げ用罫線１Ｂｘが設けられている。天部側シート１Ａの天部側固定部１Ａ４０の境界には折り曲げ用罫線が存在しないから、この点が底部用シート１Ｂと天部側シート１Ａとの第２の相違点である。そして、このように底部側シート１Ｂには折り曲げ用罫線１Ｂｘが設けられており、天部側シート１Ａには存在しないから、この両シート１Ａ，１Ｂを重ねて固定し、箱型の状態としたとき、互いに固定された両固定部１Ａ４０，１Ｂ４０は折り曲げ用罫線１Ｂｘによって底部側シート１Ｂ側に折り曲げられ、その外側を天部側シート１Ａが覆うことになる。そして、このため、箱型の状態においても、底部側シート１Ｂの端縁が包装容器１の外面に露出することがないのである。
【００３４】
そして、これら天部側シート１Ａと底部側シート１Ｂとを位置合わせして重ね（図３参照）、両固定部１Ａ４０，１Ｂ４０同士をヒートシールすることにより、平坦な状態の包装容器１を製造することができる（図４参照）。
【００３５】
次に、図５に示すように、その口栓１Ｄから内容物１Ｃを充填することにより、本発明の包装体を製造することができる。なお、口栓１Ｄにキャップを装着して密封することが望ましい。
【００３６】
内容物１Ｃとしては、熱湯、温水又は冷水と混合して使用するものが望ましい。例えば、粉末コーヒー等の粉末飲料である。後述するように、内容物１Ｃが粉末コーヒーの場合には、包装容器を箱型の状態に変形し、口栓から熱湯又は温水を注いで粉末コーヒーを溶解することにより、この包装容器１を食器として、そのままコーヒーを飲むことができる。内容物１Ｃが粉末ジュースの場合には、冷水を注いで溶かせばよい。このほか、ペースト状の味噌汁やスープ等を内容物１Ｃとして収納してもよい。
【００３７】
次に、この包装体は次のように使用することができる。
【００３８】
すなわち、まず、キャップをはずして包装体内部と外気を連通させた後、包装容器１を箱型の状態に変形する。
【００３９】
平坦な状態の包装容器１を箱型の状態に変形させるためには、天部側つなぎ片１Ａ３１〜１Ａ３４及び底部側つなぎ片１Ｂ３１〜１Ｂ３４を、その中央に位置する天部側二つ折り用罫線１Ａ３１ｃ〜１Ａ３４ｃと底部側二つ折り用罫線１Ｂ３１ｃ〜１Ｂ３４ｃがいずれも容器外面に対して山折りになるように二つ折りすればよい。この二つ折りによって、天部側シート１Ａの天部側側面１Ａ２１〜１Ａ２４のうち、互いに隣接する側面を構成する辺同士が重なり合う。図１の拡大図を参照して天部側つなぎ片１Ａ３３について説明す
ると、この天部側つなぎ片１Ａ３３を天部側二つ折り用罫線１Ａ３３ｃで二つ折りすることにより、この天部側つなぎ片１Ａ３３の両側に位置する天部側側面１Ａ２３の辺１Ａ２３ｂと天部側側面１Ａ２４の辺１Ａ２４ｂとが互いに重なり合う。
【００４０】
ところで、平坦な状態の包装容器１においては、天部側シート１Ａの天部側つなぎ片１Ａ３３と底部側シート１Ｂの底部側つなぎ片１Ｂ３３とは正確に重なり合い、その天部側二つ折り用罫線１Ａ３３ｃと底部側二つ折り用罫線１Ｂ３３ｃも互いに正確に重なり合っており、天部側シート１Ａの天部側つなぎ片１Ａ３３を天部側二つ折り用罫線１Ａ３３ｃで二つ折りするとき、底部側シート１Ｂの底部側つなぎ片１Ｂ３３も底部側二つ折り用罫線１Ｂ３３ｃで二つ折りされる。このため、底部側つなぎ片１Ｂ３３の両側に位置する底部側側面１Ｂ２３の辺１Ｂ２３ｂと底部側側面１Ｂ２４の辺１Ｂ２４ｂも互いに重なり合う。
【００４１】
そして、天部側シート１Ａの天部側側面１Ａ２３と底部側シート１Ｂの底部側側面１Ｂ２３とは容器固定部１４０を介して連続しているから、この両側面１Ａ２３，１Ｂ２３によって箱型の状態の包装容器１の側面１２３が構成される。
【００４２】
また、天部側シート１Ａの天部側つなぎ片１Ａ３３と底部側シート１Ｂの底部側つなぎ片１Ｂ３３も容器固定部１４０を介して連続しているから、この両つなぎ片１Ａ３３，１Ｂ３３で構成された部分を容器つなぎ片１３３と呼ぶと、この容器つなぎ片１３３によって前記側面同士を繋いでしかも閉塞する。すなわち、天部側側面１Ａ２３と底部側側面１Ｂ２３とで構成される側面１２３と、天部側側面１Ａ２４と底部側側面１Ｂ２４とで構成される側面１２４との間を、容器つなぎ片１３３で繋いで、しかも、ここに隙間が生じることがないように閉塞するのである。
【００４３】
以上、天部側つなぎ片１Ａ３３及び底部側つなぎ片１Ｂ３３で構成された容器つなぎ片１３３を二つ折りする場合を例として説明したが、その他のつなぎ片についても同様である。すなわち、天部側つなぎ片１Ａ３１及び底部側つなぎ片１Ｂ３１で構成された容器つなぎ片１３１を、その中央の天部側二つ折り用罫線１Ａ３１ｃ及び底部側二つ折り用罫線１Ｂ３１ｃがいずれも容器外面に対して山折りになるように二つ折りすることにより、天部側側面１Ａ２１と底部側側面１Ｂ２１とで構成される側面１２１及び天部側側面１Ａ２２と底部側側面１Ｂ２２とで構成される側面１２２が構成され、これら側面１２１と側面１２２との間を容器つなぎ片１３１で繋いで閉塞する。また、天部側つなぎ片１Ａ３２及び底部側つなぎ片１Ｂ３２で構成された容器つなぎ片１３２を、その中央の天部側二つ折り用罫線１Ａ３２ｃ及び底部側二つ折り用罫線１Ｂ３２ｃがいずれも容器外面に対して山折りになるように二つ折りすることにより、天部側側面１Ａ２２と底部側側面１Ｂ２２とで構成される側面１２３及び天部側側面１Ａ２３と底部側側面１Ｂ２３とで構成される側面１２３が構成され、これら側面１２２と側面１２３との間を容器つなぎ片１Ｂ３２で繋いで閉塞する。また、天部側つなぎ片１Ａ３４及び底部側つなぎ片１Ｂ３４で構成されたつなぎ片１３４を、その中央の天部側二つ折り用罫線１Ａ３４ｃ及び底部側二つ折り用罫線１Ｂ３４ｃがいずれも容器外面に対して山折りになるように二つ折りすることにより、天部側側面１Ａ２４と底部側側面１Ｂ２４とで構成される側面１２４及び天部側側面１Ａ２１と底部側側面１Ｂ２１とで構成される側面１２１が構成され、これら側面１２４と側面１２１との間を容器つなぎ片１３４で繋いで閉塞する。
【００４４】
そして、このようにすべての容器つなぎ片１３１〜１３４を二つ折りすることにより、各側面１２１〜１２４が形成されるから、これに伴って所定の折り曲げ用罫線で折り曲げられ、包装容器１を箱型の状態に変形することができる。この箱型の状態の包装容器１は、天面１Ａ１０と底面１Ｂ１０とを有し、その周囲に側面１２１〜１２４が設けられており、しかも、側面１２１〜１２４の間を容器つなぎ片１３１〜１３４が閉塞しているから、前記開口部１Ａ１１を除いて密封された状態にある。
【００４５】
なお、底部側シート１Ｂの底部側固定部１Ｂ４０の前記境界１Ｂｘには折り曲げ用罫線が設けられており、天部側シート１Ａの天部側固定部１Ａ４０の前記境界１Ａｘには折り曲げ用罫線が設けられていないから、両固定部１Ａ４０，１Ｂ４０がヒートシールされて形成された容器固定部１４０は、底部側シート１Ｂの方向に折り曲げられる。すなわち、底部側固定部１Ｂ４０は前記境界１Ｂｘに設けられた折り曲げ用罫線で底部側シート１Ｂの方向に折り曲げられ、天部側シート１Ａの天部側固定部１Ａ４０は、その境界１Ａｘで折り曲げられることなく、底部側シート１Ｂの底部側固定部１Ｂ４０の外面側に重ねられる。そして、このため、底部側シート１Ｂの端縁は天部側シート１Ａの天部側固定部１Ａ４０に覆われて外面に露出することがない。
【００４６】
次に、このように箱型の状態に変形された状態では、二つ折りされたつなぎ片１３１〜１３４が、包装容器１の外面に突出している。そこで、このつなぎ片１３１〜１３４を包装容器１の各側面１２１〜１２４に折り重ねることによって、その外観を整えることが望ましい。図４はこのようにつなぎ片１３１〜１３４を包装容器１の各側面１２１〜１２４に折り重ねた状態の包装容器１を示している。つなぎ片１３１〜１３４は接着テープ等の接合部材によって、各側面１２１〜１２４に固定することができる。
【００４７】
このように箱型の状態に変形することにより、包装体の内容積が増大するから、前記口栓１Ｄを通じて熱湯、温水又は冷水を注ぎ入れることができる。また、前述のようにこの箱型の状態の包装体は口栓１Ｄの開口部を除いて密閉されているから、その熱湯等が漏れることもない。そして、この包装体を十分に振ることによって、内容物１Ｃを熱湯等に溶解することが可能である。また、口栓１Ｄに口をつけて、そのまま飲むこともできる。
【００４８】
次に、この包装体を廃棄する際には、空になった包装体を平坦な状態に変形させて廃棄することが望ましい。箱型の状態の包装容器１を平坦な状態に変形させるためには、容器固定部１４０を把持して、包装容器１の外方に引っ張ればよい。容器固定部１４０を外方に引っ張ることにより、二つ折りされたつなぎ片１３１〜１３４が開き、包装容器１を平坦な状態に変形する。
【００４９】
なお、天部側シート１Ａや底部側シート１Ｂとしては、例えば、紙製の基材層に、熱可塑性樹脂層やシーラント層を積層した積層フィルムを好適に用いることができる。これ以外にも、必要な機能に応じて、バリア層や機能性フィルム等を適宜追加してもよい。また、天部側シート１Ａや底部側シート１Ｂの端部は、既知の方法で端面保護されていてもよい。
【００５０】
（第１の具体例の変形例）
次に、図７を参照して、第１の具体例の変形例を説明する。この包装容器１は、１枚のシートで天部側シート１Ａと底部側シート１Ｂの双方を構成し、折り曲げ用罫線１ＡＢでこれら天部側シート１Ａと底部側シート１Ｂとを区分したもので、その他は第１の具体例と同様である。このため、天部側シート１Ａの天部側固定部はこの折り曲げ用罫線１ＡＢとヒートシール領域とで構成されており、この折り曲げ用罫線１ＡＢとヒートシール領域との両者を併せて、天部側シート１Ａの全周囲を包囲するように構成されている。同様に底部側シート１Ｂの底部側固定部はこの折り曲げ用罫線１ＡＢとヒートシール領域とで構成され、この折り曲げ用罫線１ＡＢとヒートシール領域との両者を併せて、底部側シート１Ｂの全周囲を包囲するように構成されている。そして、この折り曲げ用罫線１ＡＢで折り曲げることにより、天部側シート１Ａと底部側シート１Ｂとを重ね合わせることができる。
【００５１】
（第２の具体例）
次に、図８〜図１０を参照して、本発明の第２の具体例を説明する。この包装体は、包装容器２として、天部側シート２Ａの天面２Ａ１０を正六角形状とし、底部側シート２Ｂの底面２Ｂ１０を天面２Ａ１０と同形同大の正六角形状に構成したものを使用した例であり、その他は第１の具体例と同様である。この包装体も、平坦な状態で内容物２Ｃを収納密封しており、箱型の状態に変形して、熱湯、温水又は冷水を注ぎ、内容物２Ｃと混合して使用することができる。なお、廃棄する際には、再度平坦な状態に変形することができる。
【００５２】
（第３の具体例）
次に、図１１〜及び図１３を参照して、本発明の第３の具体例を説明する。この包装体は、包装容器２として、天部側シート３Ａの天面３Ａ１０を正三角形状とし、底部側シート３Ｂの底面３Ｂ１０を天面３Ａ１０と同形同大の正三角形状に構成したものを使用した例であり、その他は第１の具体例と同様である。この包装体も、平坦な状態で内容物２Ｃを収納密封しており、箱型の状態に変形して、熱湯、温水又は冷水を注ぎ、内容物２Ｃと混合して使用することができる。なお、廃棄する際には、再度平坦な状態に変形することができる。
【符号の説明】
【００５３】
１：包装容器
１Ａ：天部側シート
１Ａ１０：天面
１Ａ２１〜１Ａ２４：天部側側面
１Ａ３１〜１Ａ３４：天部側つなぎ片    １Ａ３３ｃ：天部側二つ折り用罫線
１Ｂ：底部側シート
１Ｂ１０：底面
１Ｂ２１〜１Ｂ２４：底部側側面
１Ｂ３１〜１Ｂ３４：底部側つなぎ片    １Ｂ３３ｃ：底部側二つ折り用罫線
１Ｃ：内容物
１Ｄ：口栓
２：包装容器
３：包装容器
【図１】
2020172302.tif 000003
【図２】
2020172302.tif 000004
【図３】
2020172302.tif 000005
【図４】
2020172302.tif 000006
【図５】
2020172302.tif 000007
【図６】
2020172302.tif 000008
【図７】
2020172302.tif 000009
【図８】
2020172302.tif 000010
【図９】
2020172302.tif 000011
【図１０】
2020172302.tif 000012
【図１１】
2020172302.tif 000013
【図１２】
2020172302.tif 000014
【図１３】
2020172302.tif 000015